(57)【要約】      （修正有）【課題】シワの発生を防止し、片手でロールを適当な長さに引き裂くことができ、利便性が向上するリール式引き出し装置を提供する。【解決手段】一種のロールを引き出すためのリール式引き出し装置であり、ボックス本体１と、挟持アセンブリ２と、を含む。挟持アセンブリは、第１挟持部材２１と、第２挟持部材２２と、少なくとも１つの弾性部材２３とを含み、第１挟持部材または／および第２挟持部材はローラーである。ローラーは、一対のローラーベアリングによってボックス本体に回動され、引き出し口に隣接している。ローラーは、弾性部材に接続され、一方の弾性部材の弾性力によって挟持位置に変位し、ローラーベアリングによって安定に支持されてロールを挟持する。【選択図】図２
0003220297.tif 000002
【実用新案登録請求の範囲】
【請求項１】
一種のリール式引き出し装置あり、ボックス本体と挟持アセンブリとを含み、前記ボックス本体は、収容空間と、前記収容空間と連通する引き出し口と、を画定し、前記挟持アセンブリは、第１挟持部材と、第２挟持部材と、少なくとも1つの弾性部材とを含み、前記第１挟持部材または/および前記第２挟持部材はローラーであり、前記ローラーは、一対のローラーベアリングによって回動され、前記引き出し口に隣接し、前記ローラーは、前記弾性部材の弾性力によって挟持位置に変位するように、前記弾性部材に連結され、前記ローラーは、前記ローラーベアリングに支えられ、前記ロールを安定するように挟持することができることを特徴とする、リール式引き出し装置。
【請求項２】
前記ローラーベアリングは、内側リングと、外側リングと、複数の転動体とを含み、前記複数の転動体は、前記内側リングと前記外側リングとの間に介在され、前記内側リングは、前記ローラーの軸部に嵌め込んで固定されることを特徴とする、請求項１に記載のリール式引き出し装置。
【請求項３】
前記前記ボックス本体は、前記収容空間を画定するボックスカバーと、ボックスシートとを備え、前記ボックスカバーは、端縁と、前記端縁に隣接するピボットとを有し、前記ピボットは、前記ボックスシートの一端部で旋回されて、前記端縁と端部との間に引き出し口を画定することを特徴とする、請求項１に記載のリール式引き出し装置。
【請求項４】
前記ボックスシートには、前記端部に隣接する1対の可動ピボットシートが設けられ、前記第1挟持部材はローラーであり、前記一対の可動ピボットシートに一対のローラーベアリングによって旋回可能に配置されていることを特徴とする、請求項３に記載のリール式引き出し装置。
【請求項５】
前記ボックスシートには、前記端部に隣接する一対の収容スロットが設けられ、前記一対の可動ピボットシートは、前記一対の収容スロットにそれぞれ配置され、前記収容スロットには弾性部材が設けられ、前記可動ピボットシートによって前記第1挟持部材に間接的に弾性力を付与することを特徴とする、請求項４に記載のリール式引き出し装置。
【請求項６】
前記第２挟持部材はローラーであり、別の一対のローラーベアリングによって前記ボックスカバーに旋回可能に配置されていることを特徴とする、請求項３に記載のリール式引き出し装置。
【請求項７】
前記ボックスカバーは、前記端縁とは反対側の接合部を有し、前記接合部は、前記端部とは反対側の前記ボックスシートの他端部に着脱自在に結合されていることを特徴とする、請求項３に記載のリール式引き出し装置。
【請求項８】
前記ボックスシートは、一対の側板を有し、前記一対の側板に前記リールの回転軸が回動可能に設けられ、前記ボックスカバーは一対の挟持部を有し、前記ボックスカバーが前記ボックスシートに対して閉じられると、前記一対の側板が前記一対の挟持部によって挟持されることによって、前記一対の側板が所定の位置に変位することを特徴とする、請求項７に記載のリール式引き出し装置。
【請求項９】
前記ボックスシートの前記一対の側板には案内スロットが設けられ、前記案内スロットは、向かい合う一対の挿入端と閉鎖端とを有し、前記挿入端は前記収容空間の開口と連通するように前記ボックスシートと連通し前記リールの回転軸は、前記挿入端を介して前記案内スロットに挿入されて前記閉鎖端部に変位されてピボットを形成することを特徴とする、請求項８に記載のリール式引き出し装置。
【請求項１０】
一種のリール式引き出し装置であり、リールのロールを引き出すために使われ、前記ロール材料は、乾燥した不織布材料であり、前記リール式引き出し装置はボックス本体と、一対の挟持部と、挟持アセンブリとを含み、前記ボックス本体は、ボックスカバーとボックスシートからなり、前記ボックスカバーと前記ボックスシートとの間に収容空間が形成され、前記ボックスシートには、隣接する一方の端部に一対の可動ピボットシートが設けられ、前記ボックスシートは、一対の側板を備え、前記リールの回転軸は、前記一対の側板に回動可能に設けられ、前記ボックスカバーは、端縁と、前記端縁に隣接するピボットと、
前記一対の挟持部は、前記端縁と前記端部との間には前記収容空間に連通する引き出し口が画定され、前記ピボットは、前記ボックスシートの端部で回動可能に設けられ、前記一対の挟持部は、前記ボックスカバーが前記ボックスシートに対して閉じられたときに前記一対の側板を前記一対の挟持部で挟持するように構成され、前記一対の側板を所定の位置に位置することができ、前記挟持アセンブリは、第１挟持部材と、第２挟持部材と、少なくとも1つの弾性部材とを含み、前記第１挟持部材はローラーであり、一対のローラーベアリングによって前記一対の可動ピボットシートに旋回可能に取り付けられ、前記第２挟持部材はローラーであり、別のローラーベアリング対によってボックスカバーに回動可能に設けられ、前記ローラーは、前記引き出し口に隣接する中空のアルミニウム管であり、前記第１挟持部材は、前記弾性部材に連接され、前記弾性部材は、前記弾性部材の弾性力によって挟持位置に変位し、前記ローラーベアリングによって安定して支持されてロールを挟持することを特徴とする、リール式引き出し装置。
【考案の詳細な説明】
【技術分野】
【０００１】
本考案は一種の引き出し装置であり、特にリール式引き出し装置に関する。
【背景技術】
【０００２】
リール式引き出し装置は、ペーパータオルや布タオル等の物体を便利に取ることができるため、使用が一般的である。本出願人は、関連する装置、例えば、台湾実用新案公報第Ｍ４４８２４１号の「ペーパータオルボックス構造」及び台湾実用新案第Ｍ５２７７４６号の「ペーパータオルボックス」を考案した。
【０００３】
一般的なリール式引き出し装置は、主に、りールとボックス本体とからなる。リールは、ロール（紙または布など）を巻くことによって形成され、ボックス本体は回動され、ボックス本体はロールを引き出すための出口を備えている。使用時には、ユーザーは最初にロールを引き出し、それを引き裂き、ロールの引き裂き線を通して1つずつ引き出すことができる。
【先行技術文献】
【特許文献】
【０００４】
【特許文献１】台湾特許Ｍ４４８２４１号明細書
【特許文献２】台湾特許Ｍ５２７７４６号明細書
【特許文献３】台湾特許公開第Ｉ２３１１９９号明細書
【考案の概要】
【考案が解決しようとする課題】
【０００５】
しかしながら、一般に、リール式引き出し装置は、不用意に長すぎるロールを引き出す（例えば、引き出したり剥がしたりするとき、力が大きすぎる）ことが容易であるため、片手でロールの伸長長さを固定し、別の手で引裂き線に沿って所望の長さのロールを除去することがしばしば必要である。使用に多くの不都合がある。また、台湾特許公開第Ｉ２３１１９９号「ロール紙ディスペンサ」に開示されているように、図８Ａおよび図８Ｂは、ガイドローラー４８がバネ１７０によって給送ローラー３６に押し付けられてシート材料を挟持することができることを開示されている。しかし、バネ１７０スの弾性力によってシート材を効果的に保持することは容易ではない。
【０００６】
図１０および図１１を参照する。それは台湾特許公開第Ｉ２３１１９９号の図８Ａおよび図８Ｂを参考にして、描かれた平面図の概略図である。ブッシング（Ｅ３）とピボット（Ｅ２）が密着していると、ローラー（Ｅ１）の始動抵抗と引っ張り抵抗が大きすぎるため、ロールを円滑に引き出すことが困難であること（したがって、通常、両手で同時に解かれた両側を引っ張る必要がある）に加えて、製造者は、通常、ローラー（Ｅ１）を比較的容易に回転させるために、嵌合点に所定の間隔（Ｅ４）を設ける。一方、ブッシュ（Ｅ３）を長時間使用した後は、摩耗による間隔（Ｅ４）の増加が容易である。
【０００７】
図１２および図１３を参照する。このように、ユーザーがロール（Ｅ５）を引き出すために力を加えると、ローラー（Ｅ１）のピボット（Ｅ２）は偏心的に変位する。しかし、ロール（Ｅ５）を確実に保持することができず、ロール（Ｅ５）のしわおよび折り目が生じ、ロール（Ｅ５）を引き出すための滑らかさに影響を及ぼす。このような状況は、ユーザーが片手で引き出したときに特に顕著であり、長期使用後に間隔（Ｅ４）が増大すると、上述したしわおよび折り畳みがより深刻になる。
【０００８】
ロール（Ｅ５）のしわ及び折れは、ロール（Ｅ５）を円滑に引き出すために大きな引っ張り力を加えることがあり、ロール（Ｅ５）が十分な長さのロールから完全に引き出されないことが多い。巻き戻し部分の所定の引き裂き線は、早く切り取られ、ロール（Ｅ５）の巻き戻し部分がボックス本体の内部で破損することさえある。ロール（Ｅ５）をもう一度取り付ける必要があるため、使用するのには不便である。
【課題を解決するための手段】
【０００９】
上記課題を解決するために、本考案はリール式引き出し装置を提供する。
【００１０】
上記目的を達成するため、本考案者は、ロールを引き出すリール式引き出し装置の使い勝手を向上させるために、本考案を提案している。本考案のリール式引き出し装置は、ボックス本体と挟持アセンブリとを含む。ボックス本体は、収容空間と、収容空間と連通する引き出し口と、を画定する。挟持アセンブリは、第１挟持部材と、第２挟持部材と、少なくとも1つの弾性部材とを含み、第１挟持部材または/および第２挟持部材はローラーである。ローラーは、一対のローラーベアリングによって回動され、引き出し口に隣接している。ローラーは、弾性部材の弾性力によって挟持位置に変位するように、弾性部材に連結されている。そしてローラーは、前記ローラーベアリングに支えられ、ロールを安定するように挟持することができる。
【００１１】
また、ローラーベアリングは、内側リングと、外側リングと、複数の転動体とを含み、複数の転動体は、内側リングと外側リングとの間に介在され、内側リングは、ローラーの軸部に嵌め込んで固定される。
【００１２】
また、前記ボックス本体は、前記収容空間を画定するボックスカバーと、ボックスシートとを備えている。ボックスカバーは、端縁と、端縁に隣接するピボットとを有している。ピボットは、ボックスシートの一端部で旋回されて、端縁と端部との間に引き出し口を画定する。
【００１３】
ボックスシートには、端部に隣接する1対の可動ピボットシートが設けられている、第1挟持部材はローラーであり、一対の可動ピボットシートに一対のローラーベアリングによって旋回可能に配置されている。
【００１４】
また、前記ボックスシートには、前記端部に隣接する一対の収容スロットが設けられており、一対の可動ピボットシートは、一対の収容スロットにそれぞれ配置されている。収容スロットには弾性部材が設けられ、可動ピボットシートによって第1挟持部材に間接的に上記弾性力を付与する。
【００１５】
さらに、第２挟持部材はローラーであり、別の一対のローラーベアリングによってボックスカバーに旋回可能に配置されている。
【００１６】
また、前記ボックスカバーは、前記端縁とは反対側の接合部を有し、前記接合部は、前記端部とは反対側の前記ボックスシートの他端部に着脱自在に結合されている。
【００１７】
また、前記ボックスシートは、一対の側板を有し、前記一対の側板に前記リールの回転軸が回動可能に設けられ、ボックスカバーは一対の挟持部を有し、ボックスカバーがボックスシートに対して閉じられると、一対の側板が一対の挟持部によって挟持されることによって、一対の側板が所定の位置になることができる。
【００１８】
また、ボックスシートの一対の側板には案内スロットが設けられている。
案内スロットは、向かい合う一対の挿入端と閉鎖端とを有し、挿入端は収容空間の開口と連通するようにボックスシートと連通し、リールの回転軸は、挿入端を介して案内スロットに挿入されて閉鎖端部に変位されてピボットを形成する。
【００１９】
本考案は一種のリール式引き出し装置であり、リールのロールを引き出す装置であって、ロール材料は、乾燥した不織布材料である。リール式引き出し装置はボックス本体と、一対の挟持部と、挟持アセンブリとを含む。ボックス本体は、ボックスカバーとボックスシートからなり、ボックスカバーとボックスシートとの間に収容空間が形成され、ボックスシートには、隣接する一方の端部に一対の可動ピボットシートが設けられている。前記ボックスシートは、一対の側板を備え、前記リールの回転軸は、前記一対の側板に回動可能に設けられている。ボックスカバーは、端縁と、端縁に隣接するピボットと、一対の挟持部とを有する。端縁と端部との間には、収容空間に連通する引き出し口が画定されている。ピボットは、ボックスシートの端部で回動可能に設けられている。一対の挟持部は、ボックスカバーがボックスシートに対して閉じられたときに、一対の側板を一対の挟持部で挟持するように構成され、一対の側板を所定の位置に位置することができる。挟持アセンブリは、第１挟持部材と、第２挟持部材と、少なくとも1つの弾性部材とを含み、第１挟持部材はローラーであり、一対のローラーベアリングによって一対の可動ピボットシートに旋回可能に取り付けられている。第２挟持部材はローラーであり、別のローラーベアリング対によってボックスカバーに回動可能に設けられている。ローラーは、引き出し口に隣接する中空のアルミニウム管であり、第１挟持部材は、弾性部材に連接され、弾性部材は、弾性部材の弾性力によって挟持位置に変位し、ローラーベアリングによって安定して支持されてロールを挟持する。
【考案の効果】
【００２０】
上記の技術的特徴によれば、以下の効果を奏する。
１.ローラーと弾性部材の弾性力を利用してロールを挟持することにより、ロールの適切な挟持効果と引っ張りの滑らかさを考慮に入れることができるので、片手でロールの適切な長さを引き裂くことができ、製品の利便性を向上することができる。
【００２１】
２.ローラーは一対のローラーベアリングによってボックス本体に回動可能に配置され、引っ張り力と引き裂き力が均一に分散されることができる。ロールを安定して保持することができ、力の不適切な使用によりロールにしわが発生する可能性を低減することができ、製品の利便性をさらに向上させることができる。
【００２２】
３.ローラーベアリングは旋回を形成するために使用されるので、リールとローラーベアリングとの間に隙間を確保して回転の円滑性を高める必要はない。これにより、ユーザーがロールを引っ張ったときに、一般的なピボットまたはスリーブによって、ロールにしわが容易に引き起こされることはない。特に、ユーザーが片手でロールを外側に引き裂くと、ローラーの偏心変位がロールにしわを生じさせることを効果的に防止することができる。
【００２３】
４．ローラーベアリングは旋回を形成するために使用されるので、ローラー回転の初期抵抗を大幅に低減することができ、ロールをより容易に引き出すことができ、より省力化かつ順調に使用することができる。
【００２４】
５．ローラーは、弾性部材の弾性力によって挟持位置に変位するので、種々のロールに適した厚さ寸法に応じて挟持位置を適宜調整することができ、製品の適用性が向上する。
【００２５】
６．第１挟持部材と第２挟持部材は両方ともローラーであり、ローラーベアリングによってボックス本体上で旋回可能に配置されるので、ロールをより安定して挟持して製品の使用利便性をさらに向上させることができる。
【００２６】
７．ボックスカバーピボットは、引き出し口に隣接しているので、引き出し口は、ボックスカバーが展開された後でもボックスシートの近くに依然として維持されている。ユーザーは、ロールが取り付けられたときに部分的なロールを引き出し口より見つけることができる。
【００２７】
８．可動ピボットシートおよび弾性部材によって弾性力をローラーに作用し、製品は組み立ておよび実施が容易である。
【００２８】
９．ボックスカバーが閉じられると、側板は、成形誤差により側板が外観全体に影響を及ぼさないように、予定位置に配置することができる。
【００２９】
１０．ロールは、乾燥不織布で作ることができ、一般的なウエットティッシュが防腐剤のような有害な化学物質を添加する必要があるという問題を回避することができる。ローラーは、中空アルミニウム管を採用することができ、軽量で低摩擦の利点を有し、適切な構造強度を考慮に入れることができる。
【００３０】
１１．ローラーは、中空アルミニウム管を採用することができ、軽量で低摩擦の利点を有し、適切な構造強度を考慮に入れることができる。
【図面の簡単な説明】
【００３１】
【図１】本考案実施形態の概略斜視図である。
【図２】本考案実施形態の立体分解図である。
【図３】本考案実施形態の側断面図である。
【図４】本考案実施形態においてリールが装着された状態を示す模式図である
【図５】本考案の完全にボックスカバーされていない本実施形態のボックスカバーの断面図である。
【図６】本考案のボックスカバーを閉じた後の本実施形態のボックスカバーの断面図である。
【図７】本考案実施の形態において、第１挟持部材と第２保持部材とを共同でロールを挟持する断面図である。
【図８】本考案実施形態のロールを引っ張る概略的な断面図である。
【図９】本考案実施形態の壁面に固定されている側面図である。
【図１０】台湾特許Ｉ２３１１９９号の第８Ａおよび第８Ｂを参照して描かれた、平面概略図である。
【図１１】本考案図１０の部分拡大概略図である。
【図１２】本考案の図１０のピボットの偏心変位の部分拡大模式図である。
【図１３】本考案の図１０のピボットの偏心変位の使用状態概略図である。
【考案を実施するための形態】
【００３２】
上記目的を達成するために上記の技術的特徴と組み合わせて、本考案のリール式引き出し装置の主な効果は、以下の実施形態において明確に示されるであろう。
【００３３】
図１を参照すると、本実施形態のリール式引き出し装置（１００）は、ボックス本体（１）を備えていることを示している。ボックス本体（１）は、収容空間（１０１）と、収容空間（１０１）に連通する引き出し口（１０２）とを画定している。本実施形態では、ボックス本体（１）は、ボックスカバー（１１）とボックスシート（１２）とを備え、ボックスカバー（１１）とボックスシート（１２）との間には、前述した収容空間（１０１）が形成されている。
【００３４】
引き続き図２を参照すると、ボックス本体（１）はロール（Ａ０）を巻き戻すためのリール（Ａ）を取り付けるために使用され、ロール（Ａ０）は乾燥した不織布材料であり、一般的なウェットワイプに防腐剤などの有害な化学物質を添加する問題を回避するために使用することができるが、これに限定されず、紙のような一般的なシート状のワイピング材料として使用することもできる。詳細には、リール（Ａ）は、少なくとも１つの回転軸（Ａ１）によってボックスシート（１２）に取り付けられる。本実施形態では、リール（Ａ）の両側に回転軸（Ａ１）が連結され、回転軸（Ａ１）には当接面（Ａ１１）が配置されている。当接面（Ａ１１）は、前述したボックスシート（１２）に当接して回転軸（Ａ１）の摩擦抵抗を増大させることにより、上記リール（Ａ）の意図しない回転を防止することができる。
【００３５】
引き続き図２および図３を参照すると、ボックスカバー（１１）は、開けられるようにボックスシート（１２）に取り付けることができる。具体的には、ボックスカバー（１１）は、一端縁（１１１）と、この端縁（１１１）に隣接する複数の  ピボット（１１２）とを有していてもよい。ピボット（１１２）は、端縁（１１１）と端部（１２１）との間に引き出し口（１０２）を画定するために、ボックスシート（１２）の一端部（１２１）に旋回可能に配置される。ボックスカバー（１１）は、端縁（１１１）に対向する接合部（１１３）を有し、接合部（１１３）は、例えばバックル部であって、ボックスシート（１２）における端部（１２１）の他端部（１２２）とは反対側の他のバックル部（１２２０）に着脱可能に締結されているが、これに限定されない。例えば、磁気吸引力のような取り外し可能な構造によって固定することができる。
【００３６】
引き続き図４を参照すると、ボックスシート（１２）は一対の側板（１２３）を備え、一対の側板（１２３）には、上記リール（Ａ）の回転軸（Ａ１）が回動自在に取り付けられている。
一方、ボックスカバー（１１）の回動ジョイントは引き出し口（１０２）に隣接しているので、ボックスカバー（１１）が展開位置に展開されたときに引き出し口（１０２）は依然として維持される。それはボックスシート（１２）の端部（１２１）の位置に近接しており、ユーザーがリール（Ａ）のロール（Ａ０）を引き出し口（１０２）に向けて位置決めすることが便利である。
【００３７】
図４、５を参照すると、ボックスシート（１２）の一対の側板（１２３）は、案内スロット（１２４）を有することが好ましい。案内スロット（１２４）は、一対の挿入端部（１２４１）と閉鎖端部（１２４２）とを有し、挿入端部（１２４１）は、ボックスシート（１２）の開口部に連通し、リール（Ａ）の回転軸（Ａ１）が挿入端部（１２４１）を介して案内スロット（１２４）に挿入され、閉鎖端部（１２４２）に変位してピボットを形成することに供する。好ましくは、一対の側板（１２３）は、互いに対して開いた第１位置を有する。第1位置において、一対の側板（１２３）は第１間隔（Ｄ１）を有し、ボックスカバー（１１）は一対の挟持部（１１４）を有し、挟持部（１１４）同士の間には間隔（Ｄ２）を有する。図５及び図６を参照して、ボックスカバー（１１）がボックスシート（１２）に対して閉じられたとき、ボックスカバー（１１）の挟持部（１１４）は、側板（１２３）を挟持する。一対のサイドパネル（１２３）を所定の位置に配置して、一対の側板（１２３）が成形誤差（例えば、相対的な拡張または相対的な収縮）に起因する全体的な外観に影響を及ぼさないようにする。
【００３８】
引き続き、図２を参照すると、図７に関連して、リール式引き出し装置（１００）は、挟持アセンブリ（２）を含み、挟持アセンブリ（２）は、第１挟持部材（２１）と、第２挟持部材（２２）と、少なくとも１つの弾性部材（２３）とを備える。本実施形態では、第１挟持部材（２１）と第２挟持部材（２２）とが共にローラーであり、中空の金属管（例えば中空のアルミニウム管）を採用することができる。ローラーは一対のローラーベアリング（２１１）（２２１）によってボックス本体（１）に回動可能に配置され、引き出し口（１０２）に隣接している。しかしこれに限定されない。例えば、第１挟持部材（２１）と第２挟持部材（２２）の一方をローラーとし、第１挟持部材（２１）と第２挟持部材（２２）の他方を固定ロッド、端縁などとしてもよい。前述のロール（Ａ０）を順調に引き出すくことは、単一のローラーによって増加させることもできる。
前記ローラーベアリング（２１１）（２２１）は、ボールベアリング、柱状ベアリング、または他の転動体を有するベアリングであってもよい。具体的には、前記ローラーベアリング（２１１）（２２１）は、内側リング（２１１１）,（２２１１）と、外側リング（２１１２）、（２２１２）と、内側リング（２１１１）、（２２１１）と外側リング（２１１２）、（２２１２）の間の複数転動体(２１１３)、(２２１３)とを有する。内側リング（２１１１）,（２２１１）は、ローラーの軸部（２１０）（２２０）に嵌め込まれ、外側リング（２１１２）、（２２１２）は、後述する可動ピボットシート（１２５）およびボックスカバー（１１）に嵌め込まれる。
【００３９】
引き続き、図２を参照すると、図７に関連して、ローラーは弾性部材（２３）に接続され、一方の弾性部材（２３）の弾性力によって挟持位置に変位可能である。挟持位置は、弾性部材（２３）によって異なる厚さのロール（Ａ０）に応じて適宜調整することができる。具体的には、本実施形態では、ボックスシート（１２）には、端部（１２１）に隣接する一対の可動ピボットシート（１２５）が移動可能に設けられている。
第１挟持部材（２１）は、一対のローラーベアリング（２１１）によって一対の可動ピボットシート（１２５）に回動可能に配置されている。弾性部材（２３）は、バネで嵌められた可動ピボットシート（１２５）のタブ（１２５１）からなる。詳細には、ボックスシート（１２）には、端部（１２１）に隣接する1対の収容スロット（１２６）と、それぞれの収容スロット（１２６）に隣接する一対の制限ラッチ（１２７）が設けられる。一対の可動ピボットシート（１２５）は、それぞれ、一対の収容スロット（１２６）に可動的に配置され、且つ一対の制限ラッチ（１２７）によって制限されるため、前述の可動ピボットシート（１２５）の取り付けまたは取り外しが容易である。収容スロット（１２６）には弾性部材（２３）が設けられ、可動ピボットシート（１２５）を介して間接的に第1挟持部材２１に弾性力を付与することができる。第２挟持部材（２２）は、別の一対のローラーベアリング（２２１）によってボックスカバー（１１）に回動可能に配置されている。第２挟持部材（２２）は、本実施形態では旋回のみ可能であるが、第１挟持部材（２１）が可動であり、弾性部材（２３）と組み合わされて実施され得る。
【００４０】
使用時には、図７および図８を参照すると、ロール（Ａ０）の引き抜き中に、挟持アセンブリ（２）の第１挟持部材（２１）は、前述の弾性部材（２３）によって作用され、第２挟持部材（２２）と共同で有効的にロール（Ａ０）を挟持することができる。ユーザーがロール（Ａ０）を必要な長さに引っ張ると、ロール（Ａ０）を引き裂くことができる。引っ張り力が引き裂き線の結合力よりも大きい場合には、ロール（Ａ０）の一部を引き離すことができる。引っ張る時には、ローラーは一対のローラーベアリング（２１１）、（２２１）によってボックス本体（１）に回動可能に配置されているので、引っ張り力および引き裂き力を均一に分散させることができ、挟持アセンブリ（２）がロール（Ａ０）を安定して挟持することができる。不適切な力を施すことによってロール（Ａ０）がしわになる可能性が低減され、製品使用時の利便性をさらに高めることができる。
【００４１】
図８を参照すると、上記リール式引き出し装置（１００）は、設置時にテーブルトップ（Ｂ）のような固定面にほぼ平らに置くことができる。ボックスシート（１２）は、適当な重さの重り部材（１３）と組み合わせることができるが、これに限定されない。図９に示すように、複数の接合部材（Ｃ）を用いてリール式の引き出し装置（１００）を壁面（Ｄ）等の固定面に固定してもよい。主な目的は、ボックスシート（１２）の望ましくない変位を回避し、その使い勝手に影響を及ぼすことである。
【００４２】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００４３】
１        ボックス本体
１００    リール式引き出し装置
１０１    収容空間
１０２    引き出し口
１０３    開口部
１１      ボックスカバー
１１１    端縁
１１２    ピボット
１１３    接合部
１１４    挟持部
１２      ボックスシート
１２１    端部
１２２    他端部
１２２０  他のバックル部
１２３    側板
１２４    案内スロット
１２４１  挿入端部
１２４２  閉鎖端部
１２５    可動ピボットシート
１２５１  タブ
１２６    収容スロット
１２７    制限ラッチ
１３      重り部材
２        挟持アセンブリ
２１      第1挟持部材
２１０    軸部
２１１    ローラーベアリング
２１１１  内側リング
２１１２  外側リング
２１１３  転動体
２２      第２挟持部材
２２０    軸部
２２１    ローラーベアリング
２２１１  内側リング
２２１２  外側リング
２２１３  転動体
２３      弾性部材
Ａ        リール
Ａ０      ロール
Ａ１      回転軸
Ａ１１    接面
Ｂ        テーブルトップ
Ｃ        接合部材
Ｄ        壁面
Ｄ１      第１間隔
Ｄ２      第２間隔
【図１】
0003220297.tif 000003
【図２】
0003220297.tif 000004
【図３】
0003220297.tif 000005
【図４】
0003220297.tif 000006
【図５】
0003220297.tif 000007
【図６】
0003220297.tif 000008
【図７】
0003220297.tif 000009
【図８】
0003220297.tif 000010
【図９】
0003220297.tif 000011
【図１０】
0003220297.tif 000012
【図１１】
0003220297.tif 000013
【図１２】
0003220297.tif 000014
【図１３】
0003220297.tif 000015
【手続補正書】
【提出日】平成30年12月19日(2018.12.19)
【手続補正１】
【補正対象書類名】実用新案登録請求の範囲
【補正対象項目名】全文
【補正方法】変更
【補正の内容】
【実用新案登録請求の範囲】
【請求項１】
一種のリール式引き出し装置あり、ボックス本体と挟持アセンブリとを含み、前記ボックス本体は、収容空間と、前記収容空間と連通する引き出し口と、を画定し、前記挟持アセンブリは、第１挟持部材と、第２挟持部材と、少なくとも1つの弾性部材とを含み、前記第１挟持部材または/および前記第２挟持部材はローラーであり、前記ローラーは、一対のローラーベアリングによって回動され、前記引き出し口に隣接し、前記ローラーは、前記弾性部材の弾性力によって挟持位置に変位するように、前記弾性部材に連結され、前記ローラーは、前記ローラーベアリングに支えられ、ロールを安定するように挟持することができることを特徴とする、リール式引き出し装置。
【請求項２】
前記ローラーベアリングは、内側リングと、外側リングと、複数の転動体とを含み、前記複数の転動体は、前記内側リングと前記外側リングとの間に介在され、前記内側リングは、前記ローラーの軸部に嵌め込んで固定されることを特徴とする、請求項１に記載のリール式引き出し装置。
【請求項３】
前記ボックス本体は、前記収容空間を画定するボックスカバーと、ボックスシートとを備え、前記ボックスカバーは、端縁と、前記端縁に隣接するピボットとを有し、前記ピボットは、前記ボックスシートの一端部で旋回されて、前記端縁と端部との間に引き出し口を画定することを特徴とする、請求項１に記載のリール式引き出し装置。
【請求項４】
前記ボックスシートには、前記端部に隣接する1対の可動ピボットシートが設けられ、前記第1挟持部材はローラーであり、前記一対の可動ピボットシートに一対のローラーベアリングによって旋回可能に配置されていることを特徴とする、請求項３に記載のリール式引き出し装置。
【請求項５】
前記ボックスシートには、前記端部に隣接する一対の収容スロットが設けられ、前記一対の可動ピボットシートは、前記一対の収容スロットにそれぞれ配置され、前記収容スロットには弾性部材が設けられ、前記可動ピボットシートによって前記第1挟持部材に間接的に弾性力を付与することを特徴とする、請求項４に記載のリール式引き出し装置。
【請求項６】
前記第２挟持部材はローラーであり、別の一対のローラーベアリングによって前記ボックスカバーに旋回可能に配置されていることを特徴とする、請求項３に記載のリール式引き出し装置。
【請求項７】
前記ボックスカバーは、前記端縁とは反対側の接合部を有し、前記接合部は、前記端部とは反対側の前記ボックスシートの他端部に着脱自在に結合されていることを特徴とする、請求項３に記載のリール式引き出し装置。
【請求項８】
前記ボックスシートは、一対の側板を有し、前記一対の側板にリールの回転軸が回動可能に設けられ、前記ボックスカバーは一対の挟持部を有し、前記ボックスカバーが前記ボックスシートに対して閉じられると、前記一対の側板が前記一対の挟持部によって挟持されることによって、前記一対の側板が所定の位置に変位することを特徴とする、請求項７に記載のリール式引き出し装置。
【請求項９】
前記ボックスシートの前記一対の側板には案内スロットが設けられ、前記案内スロットは、向かい合う一対の挿入端と閉鎖端とを有し、前記挿入端は前記収容空間の開口と連通するように前記ボックスシートと連通し前記リールの回転軸は、前記挿入端を介して前記案内スロットに挿入されて閉鎖端部に変位されてピボットを形成することを特徴とする、請求項８に記載のリール式引き出し装置。
【請求項１０】
一種のリール式引き出し装置であり、リールのロールを引き出すために使われ、前記ロール材料は、乾燥した不織布材料であり、前記リール式引き出し装置はボックス本体と、一対の挟持部と、挟持アセンブリとを含み、前記ボックス本体は、ボックスカバーとボックスシートからなり、前記ボックスカバーと前記ボックスシートとの間に収容空間が形成され、前記ボックスシートには、隣接する一方の端部に一対の可動ピボットシートが設けられ、前記ボックスシートは、一対の側板を備え、前記リールの回転軸は、前記一対の側板に回動可能に設けられ、前記ボックスカバーは、端縁と、前記端縁に隣接するピボットと、一対の挟持部とを有し、前記一対の挟持部は、前記端縁と前記端部との間には前記収容空間に連通する引き出し口が画定され、前記ピボットは、前記ボックスシートの端部で回動可能に設けられ、前記一対の挟持部は、前記ボックスカバーが前記ボックスシートに対して閉じられたときに前記一対の側板を前記一対の挟持部で挟持するように構成され、前記一対の側板を所定の位置に位置することができ、前記挟持アセンブリは、第１挟持部材と、第２挟持部材と、少なくとも1つの弾性部材とを含み、前記第１挟持部材はローラーであり、一対のローラー
ベアリングによって前記一対の可動ピボットシートに旋回可能に取り付けられ、前記第２挟持部材はローラーであり、別のローラーベアリング対によってボックスカバーに回動可能に設けられ、前記ローラーは、前記引き出し口に隣接する中空のアルミニウム管であり、前記第１挟持部材は、前記弾性部材に連接され、前記弾性部材は、前記弾性部材の弾性力によって挟持位置に変位し、前記ローラーベアリングによって安定して支持されてロールを挟持することを特徴とする、リール式引き出し装置。